(57)【特許請求の範囲】
【請求項１】
熱により情報の印字および消去を行うリライトカード媒体を搬送する搬送手段と、
前記搬送手段でリライトカード媒体を搬送させながら該リライトカード媒体に印字を行う印字ヘッドと、
前記搬送手段でリライトカード媒体を搬送させながら該リライトカード媒体の印字を消去する消去バーとを備えたリライトカードリード・ライト装置において、
筐体内の温度を測定する温度測定手段と、
前記消去バーをプレヒートさせる制御手段を備え、
前記制御手段は、前記温度測定手段の出力から筐体の内部温度が規定値以下であると判断すると、前記消去バーを該消去バーに対向配置された消去用プラテンに押し付け、前記消去バーをプレヒートさせて前記消去用プラテン全面を加熱することを特徴とするリライトカードリード・ライト装置。
【請求項２】
熱により情報の印字および消去を行うリライトカード媒体を搬送する搬送手段と、
前記搬送手段でリライトカード媒体を搬送させながら該リライトカード媒体に印字を行う印字ヘッドと、
前記搬送手段でリライトカード媒体を搬送させながら該リライトカード媒体の印字を消去する消去バーとを備えたリライトカードリード・ライト装置において、
前記消去バーをプレヒートさせる制御手段を備え、
前記制御手段は、タイマを具備し、電源投入時に規定時間消去バーをプレヒートさせた後、レディ状態に遷移することを特徴とするリライトカードリード・ライト装置。
【請求項３】
熱により情報の印字および消去を行うリライトカード媒体を搬送する搬送手段と、
前記搬送手段でリライトカード媒体を搬送させながら該リライトカード媒体に印字を行う印字ヘッドと、
前記搬送手段でリライトカード媒体を搬送させながら該リライトカード媒体の印字を消去する消去バーとを備えたリライトカードリード・ライト装置において、
筐体内の温度を測定する温度測定手段と、
前記消去バーをプレヒートさせる制御手段を備え、
前記制御手段は、電源投入時に、前記温度測定手段の出力から筐体の内部温度が規定値以下であると判断すると、筐体の内部温度が規定値以上になるまで消去バーをプレヒートさせた後、レディ状態に遷移することを特徴とするリライトカードリード・ライト装置。
【請求項４】
熱により情報の印字および消去を行うリライトカード媒体を搬送する搬送手段と、
前記搬送手段でリライトカード媒体を搬送させながら該リライトカード媒体に印字を行う印字ヘッドと、
前記搬送手段でリライトカード媒体を搬送させながら該リライトカード媒体の印字を消去する消去バーとを備えたリライトカードリード・ライト装置において、
前記消去バーをプレヒートさせる制御手段を備え、
前記制御手段は、消去動作後に消去バーをプレヒートさせることを特徴とするリライトカードリード・ライト装置。
【請求項５】
熱により情報の印字および消去を行うリライトカード媒体を搬送する搬送手段と、
前記搬送手段でリライトカード媒体を搬送させながら該リライトカード媒体に印字を行う印字ヘッドと、
前記搬送手段でリライトカード媒体を搬送させながら該リライトカード媒体の印字を消去する消去バーとを備えたリライトカードリード・ライト装置において、
筐体内の温度を測定する温度測定手段と、
前記消去バーをプレヒートさせる制御手段を備え、
前記制御手段は、アイドル時に、前記温度測定手段の出力から筐体の内部温度が規定値以下であると判断すると、筐体の内部温度が規定値以上になるまで消去バーをプレヒートさせることを特徴とするリライトカードリード・ライト装置。
【請求項６】
熱により情報の印字および消去を行うリライトカード媒体を搬送する搬送手段と、
前記搬送手段でリライトカード媒体を搬送させながら該リライトカード媒体に印字を行う印字ヘッドと、
前記搬送手段でリライトカード媒体を搬送させながら該リライトカード媒体の印字を消去する消去バーとを備えたリライトカードリード・ライト装置において、
筐体内の温度を測定する温度測定手段と、
前記消去バーをプレヒートさせる制御手段を備え、
前記制御手段は、消去動作時に前記温度測定手段の出力から筐体の内部温度が規定値以下であると判断すると、消去動作を複数回繰り返すことを特徴とするリライトカードリード・ライト装置。
【請求項７】
請求項６において、
前記制御手段は、電源投入時に消去バーをプレヒートさせることを特徴とするリライトカードリード・ライト装置。
【発明の詳細な説明】
【０００１】
【発明の属する技術分野】
本発明は、熱により情報の印字と消去が行えるリライトカード媒体を扱うリライトカードリード・ライト装置に関するもので、特に、リライトカード媒体を搬送しながら消去バーにより印字を消去するリライトカードリード・ライト装置に関する。
【０００２】
【従来の技術】
熱により情報の印字と消去が行えるリライトカード媒体に対して印字および印字の消去を行うリライトカードリード・ライト装置において、リライトカード媒体を搬送しながら加熱した棒状の消去バーを押し付けて、印字を消去する構造のものがある。
【０００３】
【発明が解決しようとする課題】
しかしながら、消去バーの出せる熱量が限られるため、低温環境下や、既に普及している熱スタンプ方式用のリライト媒体で、且つ、経年変化している媒体が冷えていると、完全に印字を消去できないという問題があった。
【０００４】
【課題を解決するための手段】
上述した課題を解決するため、本願の請求項１に係る発明は、熱により情報の印字および消去を行うリライトカード媒体を搬送する搬送手段と、前記搬送手段でリライトカード媒体を搬送させながら該リライトカード媒体に印字を行う印字ヘッドと、前記搬送手段でリライトカード媒体を搬送させながら該リライトカード媒体の印字を消去する消去バーとを備えたリライトカードリード・ライト装置において、筐体内の温度を測定する温度測定手段と、前記消去バーをプレヒートさせる制御手段を備え、前記制御手段は、前記温度測定手段の出力から筐体の内部温度が規定値以下であると判断すると、前記消去バーを該消去バーに対向配置された消去用プラテンに押し付け、前記消去バーをプレヒートさせて前記消去用プラテン全面を加熱することを特徴とする。
【０００５】
本願請求項２に係る発明は、熱により情報の印字および消去を行うリライトカード媒体を搬送する搬送手段と、前記搬送手段でリライトカード媒体を搬送させながら該リライトカード媒体に印字を行う印字ヘッドと、前記搬送手段でリライトカード媒体を搬送させながら該リライトカード媒体の印字を消去する消去バーとを備えたリライトカードリード・ライト装置において、前記消去バーをプレヒートさせる制御手段を備え、前記制御手段は、タイマを具備し、電源投入時に規定時間消去バーをプレヒートさせた後、レディ状態に遷移することを特徴とする。
【０００６】
本願請求項３に係る発明は、熱により情報の印字および消去を行うリライトカード媒体を搬送する搬送手段と、前記搬送手段でリライトカード媒体を搬送させながら該リライトカード媒体に印字を行う印字ヘッドと、前記搬送手段でリライトカード媒体を搬送させながら該リライトカード媒体の印字を消去する消去バーとを備えたリライトカードリード・ライト装置において、筐体内の温度を測定する温度測定手段と、前記消去バーをプレヒートさせる制御手段を備え、前記制御手段は、電源投入時に、前記温度測定手段の出力から筐体の内部温度が規定値以下であると判断すると、筐体の内部温度が規定値以上になるまで消去バーをプレヒートさせた後、レディ状態に遷移することを特徴とする。
【０００７】
本願請求項４に係る発明は、熱により情報の印字および消去を行うリライトカード媒体を搬送する搬送手段と、前記搬送手段でリライトカード媒体を搬送させながら該リライトカード媒体に印字を行う印字ヘッドと、前記搬送手段でリライトカード媒体を搬送させながら該リライトカード媒体の印字を消去する消去バーとを備えたリライトカードリード・ライト装置において、前記消去バーをプレヒートさせる制御手段を備え、前記制御手段は、消去動作後に消去バーをプレヒートさせることを特徴とする。
【０００８】
本願請求項５に係る発明は、熱により情報の印字および消去を行うリライトカード媒体を搬送する搬送手段と、前記搬送手段でリライトカード媒体を搬送させながら該リライトカード媒体に印字を行う印字ヘッドと、前記搬送手段でリライトカード媒体を搬送させながら該リライトカード媒体の印字を消去する消去バーとを備えたリライトカードリード・ライト装置において、筐体内の温度を測定する温度測定手段と、前記消去バーをプレヒートさせる制御手段を備え、前記制御手段は、アイドル時に、前記温度測定手段の出力から筐体の内部温度が規定値以下であると判断すると、筐体の内部温度が規定値以上になるまで消去バーをプレヒートさせることを特徴とする。
【０００９】
本願請求項６に係る発明は、熱により情報の印字および消去を行うリライトカード媒体を搬送する搬送手段と、前記搬送手段でリライトカード媒体を搬送させながら該リライトカード媒体に印字を行う印字ヘッドと、前記搬送手段でリライトカード媒体を搬送させながら該リライトカード媒体の印字を消去する消去バーとを備えたリライトカードリード・ライト装置において、筐体内の温度を測定する温度測定手段と、前記消去バーをプレヒートさせる制御手段を備え、前記制御手段は、消去動作時に前記温度測定手段の出力から筐体の内部温度が規定値以下であると判断すると、消去動作を複数回繰り返すことを特徴とする。
本願請求項７に係る発明は、請求項６において、前記制御手段は、電源投入時に消去バーをプレヒートさせることを特徴とする。
【００１０】
【発明の実施の形態】
図１は本発明のリライトカードリード・ライト装置の第１の実施の形態を示す概略構成図である。
図において、１はリライトカード媒体で、その表面に、熱により情報の書き込みと消去を行うことができる可視情報印字エリアが設けられているとともに、裏面に、磁気により情報の書き込みと消去を行うことができる磁気ストライプ等の磁気情報記録エリアが設けられている。
【００１１】
２はリライトカードリード・ライト装置の筐体で、以下に示す構成を内蔵している。
３はリライトカード媒体１を筐体２内に取り込んだり排出したりするための挿入・排出口、４は挿入・排出口３から筐体２内に延び、リライトカード媒体１を走行させる走行路である。
【００１２】
５および６は走行路４においてリライトカード媒体１を走行させるフィードローラで、フィードローラ５は挿入・排出口３の近くで走行路４を挟んでその上下に設けられ、フィードローラ６は挿入・排出口３からみて装置奥方で走行路４を挟んでその上下に設けられている。
７は走行路４においてリライトカード媒体１を走行させるベルトで、走行路４の下側に設けられるフィードローラ５と、走行路４の下側に設けられるフィードローラ６との間に掛けられ、走行路４の全域に渡ってリライトカード媒体１を走行させる。
【００１３】
８はリライトカード媒体１に設けられた磁気情報記録エリアに対して磁気データの読み書きを行う磁気ヘッドで、フィードローラ５の近くでかつフィードローラ５より装置奥方で、走行路４の下側に設けられる。
９はリライトカード媒体１を磁気ヘッド８に押し付けるプレッシャローラで、磁気ヘッド８に対向して走行路４の上側に設けられる。
【００１４】
１０はリライトカード媒体１の可視情報印字エリアに対して情報の印字を行う印字ヘッドで、磁気ヘッド８より装置奥方で、走行路４の上側に設けられる。
１１はリライトカード媒体１を印字ヘッド１０に押し付ける印字用プラテンローラで、印字ヘッド１０に対向して走行路４の下側に設けられる。
１２はリライトカード媒体１の可視情報印字エリアに対して情報の消去を行う消去バーで、印字ヘッド１０より装置奥方で、走行路４の上側に設けられる。
【００１５】
１３はリライトカード媒体１を消去バー１２に押し付ける消去用プラテンローラで、消去バーに対向して走行路４の下側に設けられる。
１４は印字ヘッド１０および消去バー１２を上下させる上下機構駆動部で、１つの駆動部で印字ヘッド１０と消去バー１２の両方をリライトカード媒体１に接触させたり、離したりする機構を備える。
【００１６】
１５ａは印字ヘッド１０に取り付けられたサーミスタで、印字ヘッド１０の暴走を監視するために該印字ヘッド１０の温度を測定するとともに、筐体２の内部温度を測定する。
１５ｂは消去バー１２に取り付けられたサーミスタで、消去バー１２が規定の温度になっているか、および消去バー１２がその規定の温度を保持しているかを監視するために該消去バー１２の温度を測定する。
【００１７】
１６は磁気ヘッド８による磁気データのリード／ライト、図示しないモータを駆動することによるフィードローラ５、フィードローラ６およびベルト７によるリライトカード媒体１の搬送、印字ヘッド１０による印字、消去バー１２による消去の制御、および上位装置とのデータ送受信を制御するコントローラ、１７はコントローラ１６やメカニズム制御機構の電源部、１８は上位装置とのデータを送受信するＩ／Ｆコネクタである。
【００１８】
以下に、上記構成のリライトカードリード・ライト装置における磁気のリードライトと可視情報の印字・消去についての動作概要を説明する。
上位装置からカード吸入コマンドを受信すると、コントローラ１６は図示しないカード挿入ランプを点滅させ、以下の動作を実施する。
リライトカード媒体１が挿入・排出口３に挿入されたことを図示しないセンサの出力等から認識すると、コントローラ１６は、フィードローラ５、フィードローラ６およびベルト７を駆動して、まずフィードローラ５とベルト７によりリライトカード媒体１を走行路４に取り込み、磁気ヘッド８とプレッシャローラ９の間を走行させる。
【００１９】
このとき、コントローラ１６は磁気ヘッド８を制御して、リライトカード媒体１に既に書き込まれている磁気データを読み取る。この時、磁気データの読み取りが正常であれば、次の上位装置からのコマンド待ち状態となる。
次に上位装置から消去・発行コマンドを受信すると、一緒に送信されてきた磁気データの書き込みと確認（ライト＆ベリファイ）を行う。すなわち、フィードローラ５、フィードローラ６およびベルト７を取り込み時とは逆回転させ、上述した手順で取り込んだリライトカード媒体１を取り込み時は逆方向に磁気ヘッド８とプレッシャローラ９の間を走行させ、このとき、磁気ヘッド８によりリライトカード媒体１に磁気データを書き込む。そして、磁気データの書き込みの終了したリライトカード媒体１は、フィードローラ５のところまで走行させて、一旦停止させる。
【００２０】
次に、磁気データが正常に書き込まれたかどうかを確認するため、フィードローラ５、フィードローラ６およびベルト７を取り込み時と同じ方向に回転させ、再度リライトカード媒体１を取り込み時と同じ方向で磁気ヘッド８とプレッシャローラ９の間を走行させ、このとき、磁気ヘッド８によりリライトカード媒体１に書き込んである磁気データを読み取り、コントローラ１６に保存しておいた書き込みデータと比較する。このとき、リライトカード媒体１をフィードローラ６のところまで取り込んで一旦停止させる。
【００２１】
次に、取り込んだリライトカード媒体１の可視情報印字エリアに既に印字してある情報を消去して、上位装置から送信された印字データを印字するため、コントーラ１６は消去バー１２を加熱する。ここで、リライトカード媒体１に既に印字してある情報を消去するには、消去バー１２の温度を消去する媒体の種類に応じた媒体規定温度に設定する必要がある。以下、本実施の形態では、１１０℃で情報を消去可能な媒体が挿入されるものとする。次に、フィードローラ５、フィードローラ６およびベルト７を取り込み時とは逆回転させ、リライトカード媒体を挿入・排出口３方向へ走行させる。さらに、コントローラ１６から上下機構駆動部１４に対し印字ヘッド１０と消去バー１２を下げる指示を出し、印字ヘッド１０および消去バー１２が、走行路４を走行するリライトカード媒体１に接触するようにする。フィードローラ６のところにあるリライトカード媒体１を挿入・排出口３方向へ走行させると、リライトカード媒体１は、まず、消去用プラテンローラ１３により消去バー１２に押し付けられた状態で消去バー１２と消去用プラテンローラ１３との間を挿入・排出口３方向へ走行する。このとき、消去バー１２は媒体規定温度に加熱してあり、リライトカード媒体１に既に印字されている情報を消去する。
【００２２】
消去バー１２で既に印字されている情報を消去されたリライトカード媒体１は、次に印字用プラテンローラ１１により印字ヘッド１０に押し付けられた状態で印字ヘッド１０と印字用プラテンローラ１１との間を挿入・排出口３方向へ走行する。このとき、印字ヘッド１０により上位から送信されてきた情報を印字する。
【００２３】
消去バー１２による消去そして印字ヘッド１０による印字が完了すると、上下機構駆動部１４に対して印字ヘッド１０と消去バー１２を上げる指示を出し、リライトカード媒体１はフィードローラ５により挿入・排出口３から筐体２の外と排出される。
図２は本発明の第１の実施の形態の動作を示すフローチャートである。
【００２４】
コントローラ１６は、電源投入後、印字を行っていないアイドル時は、規定のサンプリング間隔でサーミスタ１５ａの出力から筐体２の内部温度を測定する（ＳＡ１）。
このとき、筐体２の内部の温度が規定温度以上、例えば５℃以上であるかどうかを判断し（ＳＡ２）、５℃未満の場合、コントローラ１６から上下機構駆動部１４に対し印字ヘッド１０と消去バー１２を下げる指示を出し、消去バー１２が消去用プラテン１３に接触するようにする（ＳＡ３）。そして、消去バー１２をリライトカード媒体１の消去温度、本実施の形態では１１０℃まで加熱する（ＳＡ４）。さらに、消去用プラテンローラ１３を所定回数、本実施の形態では１０回転させ、消去用プラテンローラ１３全面を加熱する（ＳＡ５）。消去用プラテンローラ１３を所定回数回転させた後、上下機構駆動部１４に対して印字ヘッド１０と消去バー１２を上げる指示を出し、印字ヘッド１０と消去バー１２を退避させて、消去用プラテンローラ１３の加熱動作を終了する（ＳＡ６）。
【００２５】
なお、筐体２の内部温度が規定温度以上であった場合は、上述した消去用プラテンローラ１３のプレヒートは行わず、アイドル状態を続ける。
このように、筐体２の内部温度が低い場合、消去用プラテンローラ１３をプレヒートしておくことで、リライトカード媒体１を取り込んで既に印字してある情報を消去するときに、リライトカード媒体１を消去バー１２と消去用プラテンローラ１３の両方で加熱することができ、確実な消去が行えることになる。
【００２６】
なお、上述した消去用プラテンローラ１３のプレヒートを、リライトカード媒体１を取り込んだ後に行うこととしてもよい。
すなわち、挿入・排出口３から取り込んだリライトカード媒体１に対して磁気データの消去、書き込み、確認を行って、フィードローラ６のところまで取り込んで一旦待機させた後、コントローラ１６は、サーミスタ１５ａの出力から筐体２の内部温度を測定する。
【００２７】
このとき、筐体２の内部の温度が規定温度以上、例えば５℃以上であるかどうかを判断し、５℃未満の場合、コントローラ１６から上下機構駆動部１４に対し印字ヘッド１０と消去バー１２を下げる指示を出し、消去バー１２が消去用プラテン１３に接触するようにする。そして、消去バー１２をリライトカード媒体１の消去温度、本実施の形態では１１０℃まで加熱する。さらに、消去用プラテンローラ１３を所定回数、本実施の形態では１０回転させ、消去用プラテンローラ１３全面を加熱する。消去用プラテンローラ１３を所定回数回転させた後、上下機構駆動部１４に対して印字ヘッド１０と消去バー１２を上げる指示を出し、印字ヘッド１０と消去バー１２を退避させて、消去用プラテンローラ１３の加熱動作を終了する。
【００２８】
上述した消去用プラテンローラ１３のプレヒートを終了した後、もしくは筐体２内の温度測定の結果、筐体２内部の温度が５℃以上であれば、以下に示す通常の消去・印字動作を行う。
すなわち、取り込んだリライトカード媒体１の可視情報印字エリアに既に印字してある情報を消去して、上位装置から送信された印字データを印字するため、コントーラ１６は消去バー１２を媒体規定温度まで加熱する。次に、フィードローラ５、フィードローラ６およびベルト７を取り込み時とは逆回転させ、リライトカード媒体を挿入・排出口３方向へ走行させる。さらに、コントローラ１６から上下機構駆動部１４に対し印字ヘッド１０と消去バー１２を下げる指示を出し、印字ヘッド１０および消去バー１２が、走行路４を走行するリライトカード媒体１に接触するようにする。フィードローラ６のところにあるリライトカード媒体１を挿入・排出口３方向へ走行させると、リライトカード媒体１は、まず、消去用プラテンローラ１３により消去バー１２に押し付けられた状態で消去バー１２と消去用プラテンローラ１３との間を挿入・排出口３方向へ走行する。このとき、消去バー１２は媒体規定温度に加熱してあり、リライトカード媒体１に既に印字されている情報を消去する。
【００２９】
ここで、上述したように、筐体２の内部温度が５℃未満であった場合は、消去用プラテンローラ１３がプレヒートしてあるので、リライトカード媒体１を上下から加熱して情報を消去することになる。そして、消去動作の直前に消去用プラテンローラ１３をプレヒートしたので、該消去用プラテンローラは高い温度を保持しており、より確実に情報を消去できるものである。
【００３０】
消去バー１２で既に印字されている情報を消去されたリライトカード媒体１は、次に印字用プラテンローラ１１により印字ヘッド１０に押し付けられた状態で印字ヘッド１０と印字用プラテンローラ１１との間を挿入・排出口３方向へ走行する。このとき、印字ヘッド１０により上位から送信されてきた情報を印字する。
【００３１】
消去バー１２による消去そして印字ヘッド１０による印字が完了すると、上下機構駆動部１４に対して印字ヘッド１０と消去バー１２を上げる指示を出し、リライトカード媒体１はフィードローラ５により挿入・排出口３から筐体２の外と排出される。
以上説明した本発明の第１の実施の形態では、筐体２内部の温度が低い場合に、消去バー１２を用いて消去用プラテンローラ１３の全面を加熱しておくことで、消去動作時に、消去バー１２とプレヒートした消去用プラテンローラ１３とによりリライトカード媒体１を上下から加熱して情報を消去することとしたので、低温環境下や熱スタンプ方式用のリライト媒体で、且つ経年変化しているような媒体であっても、確実に情報を消去することができる。
【００３２】
次に、本発明のリライトカードリード・ライト装置の第２の実施の形態について説明する。
この第２の実施の形態においては、リライトカードリード・ライト装置の構成は図１で説明した構成と同じであり、コントローラ１６が以下の動作で説明する制御を行うものである。
【００３３】
図３および図４は第２の実施の形態の動作を示すフローチャートで、図３は電源投入時の動作を示し、図４は消去時の動作を示す。まず、電源投入時の動作を図３を用いて説明する。
電源が投入されたことを認識すると、コントローラ１６はメモリチェック等の初期診断テストを実施した後（ＳＢ１）、消去バー１２を定格値を越えない範囲でなるべく高い規定温度、本実施の形態では１７０℃まで加熱し（ＳＢ２）、規定温度に到達すると（ＳＢ３）、規定温度状態をｎ分間保持する（ＳＢ４）。ここで、このｎ分とは、筐体２の内部温度が５℃の状態から、リライトカード媒体１の消え残りがでない内部温度、本実施の形態では２０℃に上昇するまでの時間を示しており、あらかじめ実験等で値を決めておき、コントローラ１６にタイマを備えて制御する。
【００３４】
そして、筐体２の内部温度が２０℃になるまで、コントローラ１６は装置をイニシャル中とし、上位からの印字要求を拒絶し、ｎ分経過後に消去バー１２の加熱を中止し、上位装置からの印字要求に応答できる装置レディー状態に遷移する（ＳＢ５）。なお、本実施の形態では、消去バー１２の温度を一定に保つ制御はハードウエアで実現することとしている。例えば、消去バー１２にパルスを印加して加熱を行う場合、消去バー１２に設けたサーミスタ１５ｂの温度を監視し、所望の温度を越えた場合は単位時間あたりのパルス数を減らす等の処理を行うものである。
【００３５】
次に、消去時の動作を図４を用いて説明する。
まず、消去動作に至るまでの磁気データの消去、ライト＆ベリファイの動作は上述した動作と同じであり、挿入・排出口３から取り込んだリライトカード媒体１に対して磁気データの消去、書き込み、確認を行って、フィードローラ６のところまで取り込んで一旦待機させる。
【００３６】
次に、取り込んだリライトカード媒体１の可視情報印字エリアに既に印字してある情報を消去して、上位装置から送信された印字データをリライトカード媒体１に印字するため、サーミスタ１５ｂの出力から消去バー１２の温度を監視しながら該消去バー１２を加熱し、消去バー１２の温度が電源導入時のプレヒートの影響で媒体規定温度、本実施の形態では１１０℃以上となっている場合は、消去バー１２の加熱を中止し、消去バー１２の温度が１１０℃まで下がるのを待つ（ＳＢ６）。消去バー１２の温度が１１０℃になると（ＳＢ７）、フィードローラ５、フィードローラ６およびベルト７を取り込み時とは逆回転させ、さらに、上下機構駆動部１４に対し印字ヘッド１０と消去バー１２を下げる指示を出し、印字ヘッド１０および消去バー１２が、走行路４を走行するリライトカード媒体１に接触するようにして、リライトカード媒体１を挿入・排出口３方向へ走行させる。
【００３７】
フィードローラ６のところにあるリライトカード媒体１を挿入・排出口３方向へ走行させると、リライトカード媒体１は、まず、消去用プラテンローラ１３により消去バー１２に押し付けられた状態で消去バー１２と消去用プラテンローラ１３との間を挿入・排出口３方向へ走行する。このとき、消去バー１２の温度は１１０℃になっており、リライトカード媒体１に既に印字されている情報を消去する（ＳＢ８）。
【００３８】
そして、消去を終了すると（ＳＢ９）、消去バー１２を１７０℃まで加熱し（ＳＢ１０，ＳＢ１１）、消去動作は終了する。以上の動作により、筐体２の内部温度は２０℃以上に保つことができ、冷えたカードが入ってきた場合でも確実に消去が可能となる。
消去バー１２で既に印字されている情報を消去されたリライトカード媒体１は、次に印字用プラテンローラ１１により印字ヘッド１０に押し付けられた状態で印字ヘッド１０と印字用プラテンローラ１１との間を挿入・排出口３方向へ走行する。このとき、印字ヘッド１０により上位から送信されてきた情報を印字する。
【００３９】
消去バー１２による消去そして印字ヘッド１０による印字が完了すると、上下機構駆動部１４に対して印字ヘッド１０と消去バー１２を上げる指示を出し、リライトカード媒体１はフィードローラ５により挿入・排出口３から筐体２の外と排出される。
以上説明した本発明の第２の実施の形態では、電源投入時、筐体２内部の温度が低い場合に、消去バー１２を加熱して筐体２の内部温度を上げておき、消去動作後にも消去バー１２を加熱して筐体２の内部温度を高く保つようにしたので、低温環境下であっても筐体２の内部温度を高く保ち、また、冷えたリライトカード媒体１が挿入された場合にカード自体の温度を上げることで、熱スタンプ方式用のリライト媒体で、且つ経年変化しているような媒体であっても、確実に情報を消去することができる。そして、電源投入時、温度が低い場合にのみプレヒートを行うので、レディー状態に遷移するまでの時間を短縮できる。
【００４０】
次に、本発明のリライトカードリード・ライト装置の第３の実施の形態について説明する。
この第３の実施の形態においては、リライトカードリード・ライト装置の構成は図１で説明した構成と同じであり、コントローラ１６が以下の動作で説明する制御を行うものである。
【００４１】
図５、図６および図７は第３の実施の形態の動作を示すフローチャートで、図５は電源投入時の動作を示し、図６は消去時の動作を示し、図７はアイドル時の動作を示す。まず、電源投入時の動作を図５を用いて説明する。
電源が投入されたことを認識すると、コントローラ１６はメモリチェック等の初期診断テストを実施した後（ＳＣ１）、サーミスタ１５ａの出力から筐体２内部の温度を測定する。このとき、筐体２の内部温度が規定値以上、本実施の形態では２０℃以上であるかどうかを判断し（ＳＣ２）、筐体２の内部温度が規定値以上であれば、上位装置からの印字要求に応答できる装置レディー状態に遷移する（ＳＣ３）。
【００４２】
前記測定の結果、筐体２の内部温度が規定値未満であれば、消去バー１２を定格値を越えない範囲でなるべく高い規定温度、本実施の形態では１７０℃まで加熱し（ＳＣ４）、消去バー１２が規定温度に到達すると（ＳＣ５）、サーミスタ１５ａの出力から筐体２内部の温度を測定する。このとき、筐体２の内部温度が規定値以上、本実施の形態では上述した２０℃以上であるかどうかを判断し（ＳＣ６）、筐体２の内部温度が規定値以上であれば、消去バー１２の加熱を中止し（ＳＣ７）、装置レディー状態に遷移する（ＳＣ３）。
【００４３】
次に、消去時の動作を図６を用いて説明する。
まず、消去動作に至るまでの磁気データの消去、ライト＆ベリファイの動作は第１の実施の形態で説明した動作と同じであり、挿入・排出口３から取り込んだリライトカード媒体１に対して磁気データの消去、書き込み、確認を行って、フィードローラ６のところまで取り込んで一旦待機させる。
【００４４】
次に、取り込んだリライトカード媒体１の可視情報印字エリアに既に印字してある情報を消去して、上位装置から送信された印字データをリライトカード媒体１に印字するため、消去バー１２を加熱する。ここで、リライトカード媒体１に既に印字してある情報を消去するには、消去バー１２の温度を消去する媒体の種類に応じた温度に設定する必要がある。本実施の形態では、１１０℃で情報を消去可能な媒体が挿入されるものとする。
【００４５】
このため、消去バー１２の温度を監視し（ＳＣ８）、消去バー１２の温度が電源導入時や後述するアイドル時のプレヒートの影響で媒体規定温度、本実施の形態では１１０℃以上となっている場合は、消去バー１２の加熱を中止する（ＳＣ９）。そして、消去バー１２の温度が規定温度になれば（ＳＣ１０）、フィードローラ５、フィードローラ６およびベルト７を取り込み時とは逆回転させ、リライトカード媒体を挿入・排出口３方向へ走行させる。このとき、コントローラ１６から上下機構駆動部１４に対し印字ヘッド１０と消去バー１２を下げる指示を出し、印字ヘッド１０および消去バー１２が、走行路４を走行するリライトカード媒体１に接触するようにして、消去を実施する。
【００４６】
すなわち、フィードローラ６のところにあるリライトカード媒体１を挿入・排出口３方向へ走行させると、リライトカード媒体１は、まず、消去用プラテンローラ１３により消去バー１２に押し付けられた状態で消去バー１２と消去用プラテンローラ１３との間を挿入・排出口３方向へ走行する。このとき、消去バー１２の温度は１１０℃になっており、リライトカード媒体１に既に印字されている情報が消去される（ＳＣ１１）。
【００４７】
そして、リライトカード媒体１が消去バー１２を通過することで、消去動作は終了する（ＳＣ１２）
なお、上述したＳＣ８の処理における温度監視で、消去バー１２の温度が媒体規定温度に到達していない場合は、加熱を続け、媒体規定温度に達した時点から消去を実施する。
【００４８】
消去バー１２で既に印字されている情報を消去されたリライトカード媒体１は、次に印字用プラテンローラ１１により印字ヘッド１０に押し付けられた状態で印字ヘッド１０と印字用プラテンローラ１１との間を挿入・排出口３方向へ走行する。このとき、印字ヘッド１０により上位から送信されてきた情報を印字する。
【００４９】
消去バー１２による消去そして印字ヘッド１０による印字が完了すると、上下機構駆動部１４に対して印字ヘッド１０と消去バー１２を上げる指示を出し、リライトカード媒体１はフィードローラ５により挿入・排出口３から筐体２の外と排出される。
次にアイドル時の動作を図７を用いて説明する。
【００５０】
コントローラ１６は、電源投入後、印字を行っていないアイドル時は、規定のサンプリング間隔でサーミスタ１５ａの出力から筐体２の内部温度を測定する。
そして、筐体２の内部温度が規定温度が規定値、本実施の形態では２０℃以上であると（ＳＣ１３）、アイドル状態を続ける。
前記ＳＣ１３の処理で筐体２の内部温度が規定値以下であると、消去バー１２を定格値を越えない範囲でなるべく高い規定温度、本実施の形態では１７０℃まで加熱し（ＳＣ１４）、消去バー１２が規定温度に到達すると（ＳＣ１５）、サーミスタ１５ａの出力から筐体２内部の温度を測定する。このとき、筐体２の内部温度が規定値以上、本実施の形態では上述した２０℃以上であるかどうかを判断し（ＳＣ１６）、筐体２の内部温度が規定値以上であれば、消去バー１２の加熱を中止し（ＳＣ１７）、アイドル状態に遷移する。
【００５１】
以上説明した本発明の第３の実施の形態では、電源投入時、筐体２内部の温度が低い場合に、消去バー１２を加熱して筐体２の内部温度を上げておき、アイドル時にも筐体２内の内部温度の変化に応じて所定の温度、例えば２０℃に保てるようにしたので、低温環境下であっても筐体２の内部温度を高く保ち、また、冷えたリライトカード媒体１が挿入された場合にカード自体の温度を上げることで、熱スタンプ方式用のリライト媒体で、且つ経年変化しているような媒体であっても、確実に情報を消去することができる。
【００５２】
次に、本発明のリライトカードリード・ライト装置の第４の実施の形態について説明する。
この第４の実施の形態においては、リライトカードリード・ライト装置の構成は図１で説明した構成と同じであり、コントローラ１６が以下の動作で説明する制御を行うものである。
【００５３】
図８は本発明の第４の実施の形態の動作を示すフローチャートである。
まず、消去動作に至るまでの磁気データの消去、ライト＆ベリファイの動作は第１の実施の形態で説明した動作と同じであり、挿入・排出口３から取り込んだリライトカード媒体１に対して磁気データの消去、書き込み、確認を行って、フィードローラ６のところまで取り込んで一旦待機させる（ＳＤ１）。
【００５４】
次に、コントローラ１６は、サーミスタ１５ａの出力から筐体２内部の温度を測定する（ＳＤ２）。このとき、筐体２の内部の温度が所定の温度以上、例えば５℃以上であるかどうかを判断し（ＳＤ３）、５℃未満の場合、コントローラ１６は消去バー１２を媒体規定温度に加熱し、フィードローラ５、フィードローラ６およびベルト７を取り込み時とは逆回転させ、リライトカード媒体を挿入・排出口３方向へ走行させる（ＳＤ４）。このとき、コントローラ１６から上下機構駆動部１４に対し印字ヘッド１０と消去バー１２を下げる指示を出し（ＳＤ５）、印字ヘッド１０および消去バー１２が、走行路４を走行するリライトカード媒体１に接触するようにする。フィードローラ６のところにあるリライトカード媒体１を挿入・排出口３方向へ走行させると、リライトカード媒体１は、まず、消去用プラテンローラ１３により消去バー１２に押し付けられた状態で消去バー１２と消去用プラテンローラ１３との間を挿入・排出口３方向へ走行する。このとき、消去バー１２は媒体規定温度に加熱してあり、リライトカード媒体１に既に印字されている情報を消去する（ＳＤ６）。
【００５５】
リライトカード媒体１の印字領域が消去バー１２を通過すると、フィードローラ５、フィードローラ６およびベルト７を取り込み時と同じ方向に回転させ（ＳＤ７）、リライトカード媒体１を、再度、消去用プラテンローラ１３により消去バー１２に押し付けられた状態で消去バー１２と消去用プラテンローラ１３との間をフィードローラ６方向へ走行させる。このとき、上述したように消去バー１２は媒体規定温度に加熱してあり、リライトカード媒体１に既に印字されている情報を消去する（ＳＤ７）。
【００５６】
そして、リライトカード媒体１をフィードローラ６のところまで搬送して一旦停止させる。
上述したプレ消去動作を終了した後、もしくは筐体２内の温度測定の結果、筐体２内部の温度が５℃以上であれば、以下に示す通常の消去・印字動作を行う。すなわち、取り込んだリライトカード媒体１の可視情報印字エリアに既に印字してある情報を消去して、上位装置から送信された印字データをリライトカード媒体１に印字するため、フィードローラ５、フィードローラ６およびベルト７を取り込み時とは逆回転させ、リライトカード媒体を挿入・排出口３方向へ走行させる。このとき、コントローラ１６から上下機構駆動部１４に対し印字ヘッド１０と消去バー１２を下げる指示を出し、印字ヘッド１０および消去バー１２が、走行路４を走行するリライトカード媒体１に接触するようにする。フィードローラ６のところにあるリライトカード媒体１を挿入・排出口３方向へ走行させると、リライトカード媒体１は、まず、消去用プラテンローラ１３により消去バー１２に押し付けられた状態で消去バー１２と消去用プラテンローラ１３との間を挿入・排出口３方向へ走行する。このとき、消去バー１２は媒体規定温度に加熱してあり、リライトカード媒体１に既に印字されている情報を消去する。
【００５７】
ここで、上述したように、筐体２内の温度が５℃未満であった場合は、あらかじめ２度消去動作を実行しており、計３度の消去動作を行うことになるので、冷えたカードが入ってきても、確実に消去が可能となる。
消去バー１２で既に印字されている情報を消去されたリライトカード媒体１は、次に印字用プラテンローラ１１により印字ヘッド１０に押し付けられた状態で印字ヘッド１０と印字用プラテンローラ１１との間を挿入・排出口３方向へ走行する。このとき、印字ヘッド１０により上位から送信されてきた情報を印字する。
【００５８】
消去バー１２による消去そして印字ヘッド１０による印字が完了すると、上下機構駆動部１４に対して印字ヘッド１０と消去バー１２を上げる指示を出し、リライトカード媒体１はフィードローラ５により挿入・排出口３から筐体２の外と排出される。
以上説明した本発明の第４の実施の形態では、消去動作時に筐体２内部の温度が低いと、複数回消去動作を行うので、冷えたリライトカード媒体１が挿入された場合でも、確実に情報を消去することができ、挿入された媒体が熱スタンプ方式用のリライト媒体で、且つ経年変化しているような媒体であっても、確実に情報を消去することができる。
【００５９】
なお、上述した本発明においては、各実施の形態を組み合わせることで、低温下やリライトカード媒体１が冷えている場合、さらに、リライトカード媒体２の状態が良くない場合でもより確実な消去が行える。
【００６０】
【発明の効果】
以上説明したように、本発明は、消去バーをプレヒートさせることで、低温環境下や挿入されたリライトカード媒体が低温であっても、筐体内や媒体を温めることができ、少ない消費電力で確実に印字を消去できるようになる。
【図面の簡単な説明】
【図１】本発明のリライトカードリード・ライト装置の第１の実施の形態を示す概略構成図
【図２】本発明の第１の実施の形態の動作を示すフローチャート
【図３】本発明の第２の実施の形態の動作を示すフローチャート
【図４】本発明の第２の実施の形態の動作を示すフローチャート
【図５】本発明の第３の実施の形態の動作を示すフローチャート
【図６】本発明の第３の実施の形態の動作を示すフローチャート
【図７】本発明の第３の実施の形態の動作を示すフローチャート
【図８】本発明の第４の実施の形態の動作を示すフローチャート
【符号の説明】
１  リライトカード媒体
２  筐体
５  フィードローラ
６  フィードローラ
７  ベルト
１２  消去バー
１３  消去用プラテンローラ
１５ａ  サーミスタ
１６  コントローラ
【図１】
0004103220.tif 000002
【図２】
0004103220.tif 000003
【図３】
0004103220.tif 000004
【図４】
0004103220.tif 000005
【図５】
0004103220.tif 000006
【図６】
0004103220.tif 000007
【図７】
0004103220.tif 000008
【図８】
0004103220.tif 000009